(57)【要約】【課題】グランドクラッタ信号の変動成分を、気象信号として誤検出すること無く除去して、気象成分のみを正しく抽出可能な気象情報検出装置と、この装置を用いた気象情報検出方法とを提供する。【解決手段】気象情報検出回路の前段に、レーダー受信信号に含まれる気象成分を選択的に通過するウェザードップラ通過フィルタ回路を設ける。ウェザードップラ通過フィルタ回路は、気象成分にかかわる周波数帯域を通過するバンドパスフィルタを具備する。【選択図】図７
2010185768.tif 000002
【特許請求の範囲】
【請求項１】
レーダー受信信号を入力して、気象情報に対応する信号成分を選択的に通過するウェザードップラ通過フィルタ回路と、
前記ウェザードップラ通過フィルタ回路の出力信号に基づいて、気象検出データを生成する気象情報検出回路と
を具備し、
前記ウェザードップラ通過フィルタ回路は、
前記気象情報に対応する周波数帯域を選択的に通過するバンドパスフィルタ
を具備する
気象情報検出装置。
【請求項２】
請求項１に記載の気象情報検出装置において、
前記レーダー受信信号におけるＩ（Ｉｎ−Ｐｈａｓｅ：同相）検波信号およびＱ（Ｑｕａｄｒａｔｕｒｅ−Ｐｈａｓｅ：直交）検波信号を合成してＩ／Ｑ信号として出力するためのＩＱ合成回路部と、
前記Ｉ／Ｑ信号から、前記ドップラレーダーによる放射電波の反射波以外の干渉電波成分を除去して前記ウェザードップラフィルタ回路部に供給するための干渉除去回路部と
をさらに具備する
気象情報検出装置。
【請求項３】
請求項２に記載の気象情報検出装置において、
前記レーダー受信信号は、
前記気象情報検出装置における各構成要素の動作を同期するためのクロック信号と、
前記気象情報検出装置における各構成要素の動作を制御するためのトリガ信号と、
レーダー受信装置が検出した観測対象の方位に係る情報を伝達するための方位信号と
を含み、
前記前記ＩＱ合成回路部と、前記干渉除去回路部と、前記ウェザードップラフィルタ回路部と、前記気象情報検出回路部とは、前記クロック信号と、前記トリガ信号と、前記方位信号とをさらに入力する
気象情報検出装置。
【請求項４】
請求項１〜３のいずれかに記載の気象情報検出装置において、
前記レーダー受信信号を出力するレーダー装置
をさらに具備する
気象情報検出装置。
【請求項５】
請求項１〜３のいずれかに記載の気象情報検出装置において、
前記レーダー受信信号を入力するためのレーダー受信信号入力部
をさらに具備する
気象情報検出装置。
【請求項６】
（ａ）レーダー受信信号を入力して、気象情報に対応する信号成分を選択的に通過するステップと、
（ｂ）前記ステップ（ａ）で得られる出力信号に基づいて、気象検出データを生成するステップと
を具備し、
前記ステップ（ａ）は、
（ａ−１）前記気象情報に対応する周波数帯域を選択的に通過するステップ
を具備する
気象情報検出方法。
【請求項７】
請求項６に記載の気象情報検出方法において、
前記ステップ（ａ）は、
（ａ−２）前記レーダー受信信号におけるＩ（Ｉｎ−Ｐｈａｓｅ：同相）検波信号およびＱ（Ｑｕａｄｒａｔｕｒｅ−Ｐｈａｓｅ：直交）検波信号を合成してＩ／Ｑ信号として出力するステップと、
（ａ−３）前記ステップ（ａ−１）の前に、前記Ｉ／Ｑ信号から干渉電波成分を除去するステップと
をさらに具備する
気象情報検出装置。
【発明の詳細な説明】
【技術分野】
【０００１】
本発明は、気象情報検出装置と、この装置を用いた気象情報検出方法とに係り、特にドップラレーダー装置の受信信号を用いた気象情報検出装置と、この装置を用いた気象情報検出方法とに係る。
【背景技術】
【０００２】
気象情報を検出するために、次のような方法が知られている。１つの方法としては、ドップラレーダー装置から出力される受信信号から、グランドクラッタ（Ｇｒｏｕｎｄ  Ｃｌｕｔｔｅｒ：地面などからの反射波）成分との差分信号を得る方法がある。別の方法としては、レーダー装置から出力されるＩ／Ｑ検波信号から、キャンセラ回路を用いてグランドクラッタ成分を除去して気象情報を検出する方法もある。これら２つの気象情報検出方法を、それぞれ気象情報検出装置の例を用いて説明する。
【０００３】
図１は、本発明に関連する技術による気象検出装置の構成例を説明するためのブロック図である。この気象検出回路は、メモリ書き込み読み出し制御部１１と、バッファメモリ１２と、メモリ読み出し制御部１３と、グランドクラッタメモリ１４と、差分回路部１５と、気象情報検出回路部１６とを具備する。
【０００４】
メモリ書き込み読み出し制御部１１の出力部は、バッファメモリ１２の第１の入力部に接続されている。バッファメモリ１２の出力部は、差分回路部１５の第１の入力部に接続されている。メモリ読み出し制御部１３の出力部は、グランドクラッタメモリ１４の入力部に接続されている。グランドクラッタメモリ１４の出力部は、差分回路部１５の第２の入力部に接続されている。差分回路部１５の出力部は、気象情報検出回路部１６の入力部に接続されている。
【０００５】
メモリ書き込み読み出し制御部１１は、トリガ信号と、クロック信号と、方位信号とを入力し、メモリ書き込み信号と、メモリ読み出し信号とを出力する。バッファメモリ１２は、第２の入力部からはレーダー受信信号を入力し、第１の入力部からはメモリ書き込み信号およびメモリ読み出し信号を入力する。バッファメモリ１２は、レーダー受信信号の保持または出力を、メモリ書き込み信号またはメモリ読み出し信号に応じて行う。メモリ読み出し制御部１３は、トリガ信号と、クロック信号と、方位信号とを入力し、メモリ読み出し信号を出力する。グランドクラッタメモリ１４は、メモリ読み出し信号を入力し、グランドクラッタデータを出力する。差分回路部１５は、第１の入力部からはバッファメモリからのレーダー受信信号を入力し、第２の入力部からはグランドクラッタデータを入力し、差分データを出力する。気象情報検出回路部１６は、差分データを入力し、気象検出データを出力する。
【０００６】
図１の例における気象検出回路の動作を説明する。まず、レーダー装置で受信される、ＭＴＩ（Ｍｏｖｉｎｇ  Ｔａｒｇｅｔ  Ｉｎｄｉｃａｔｉｏｎ：移動体検出）処理を施す前の、生の信号を得る。この、生のレーダー受信信号を、一方のバッファメモリ１２ではそのまま記憶しておく。また、もう一方のグランドクラッタメモリ１４では、生のレーダー受信信号からグランドクラッタ信号を抽出して記憶しておく。次に、記憶された生の信号と、記憶されたグランドクラッタ信号との差分を取って、差分信号とする。最後に、この差分信号から、気象情報を検出する。
【０００７】
図２は、本発明に関連する別の技術による気象情報検出装置の構成例を説明するためのブロック図である。この気象情報検出装置は、ＩＱ（Ｉｎ−Ｐｈａｓｅ  ａｎｄ  Ｑｕａｄｒａｔｕｒｅ−Ｐｈａｓｅ）合成回路部２１と、キャンセラ回路部２２と、気象情報検出回路部２３とを具備する。ＩＱ合成回路部２１と、キャンセラ回路部２２と、気象情報検出回路部２３とは、この順番に、直列に接続されている。
【０００８】
ＩＱ合成回路部２１は、レーダー検波のＩ信号及びＱ信号と、トリガ信号と、クロック信号とを入力し、ＩＱ合成信号を出力する。キャンセラ回路２２は、ＩＱ合成信号を入力し、その成分の一部をキャンセルしてから出力する。気象情報検出回路部２３は、キャンセラ回路部２２の出力信号を入力し、気象検出データを出力する。
【０００９】
図２の例では、レーダー装置で受信されるレーダー受信信号にＭＴＩ処理を施すためのキャンセラ回路２２を用いる。レーダー装置が出力するＩ／Ｑ検波信号から、キャンセラ回路２２によって、グランドクラッタ成分を除去する。
【００１０】
図１または図２の関連技術による気象情報検出装置では、グランドクラッタ成分の特性が常に一定であり、かつ、そのドップラ周波数が０であることを前提としている。レーダーの受信信号のうち、グランドクラッタ成分とは、静止目標から反射された成分である。
【００１１】
特に、図２の関連技術による気象情報検出装置では、その結果として、Ｉ／Ｑ検波信号の位相も固定されている。この場合、キャンセラ回路２２を用いることで、レーダーの受信信号におけるグランドクラッタ成分を抑圧出来ることは、周知である。
【００１２】
しかし、実際には、グランドクラッタ成分を生み出す静止目標は、完全に静止しているわけではない。例えば、グランドクラッタ成分の大部分を占める山岳等は静止目標ではあるが、その表面に生えた木々は風で揺らぐ。つまり、Ｉ／Ｑ検波信号では、レーダー受信信号のうち、山岳等で反射した成分は、航空機などで反射した成分と同様に、動的信号の特性を含んでいる。その結果、微小ではあるが、Ｉ／Ｑ検波信号において位相変動を発生させる。
【００１３】
この場合、キャンセラ回路２２はグランドクラッタ成分を完全には除去出来ない。特に、木々の揺らぎによる成分は、風向き、風速、気流など、周辺の気象状況によってドップラ周波数の変動量が変化する。その結果、Ｉ／Ｑ検波信号に含まれるグランドクラッタ成分の位相変動が、キャンセラ回路で除去できないほどに大きくなる場合もある。そのような場合には、当然、グランドクラッタ成分がキャンセラ回路を通過してしまう。
【００１４】
また、図１の関連技術による気象情報検出装置でも、似たような問題が発生する場合がある。例えば、同じ山岳から受信される信号を、ある時点におけるグランドクラッタ成分を記憶しておいても、別の時点におけるグランドクラッタ成分が一致するとは限らない。すなわち、例えば山岳の木々の揺らぎによる変動が原因で、過去に記憶したグランドクラッタ成分と、現在受信したグランドクラッタ成分とに、差が発生してしまう。
【００１５】
さらに、グランドクラッタ成分の変動特性も一定ではないため、差分信号の中にグランドクラッタ成分が残る場合がある。その結果として、気象情報を検出する際に、グランドクラッタ成分を雨雲等と誤検知する現象が発生する場合がある。
【００１６】
上記に関連して、特許文献１（実開平０５−０２３１７３号公報）には、気象レーダーにおける信号処理装置に係る記載が開示されている。
特許文献１に記載の気象レーダーにおける信号処理装置は、受信信号のＡＤ変換部と、近距離用ＭＴＩ部と、遠距離用ＭＴＩ部と、近距離、遠距離用各ＭＴＩ部の切換部とを備える。
【００１７】
また、特許文献２（特開平０８−１６６４４５号公報）には、レーダ装置に係る記載が開示されている。
特許文献２に記載のレーダ装置は、アンテナから電波を放射し、この放射電波に対する目標からの反射電波を前記アンテナにより受信して目標とアンテナとの距離、方位を測定する。このレーダ装置は、受信機と、ドップラフィルタと、鳥群判断手段とを備える。ここで、受信機は、アンテナにより受信した反射電波を電気信号として反射信号に変換する。ドップラフィルタは、反射信号からドップラ周波数成分を抽出する。鳥群判断手段は、抽出したドップラ周波数成分のうち、一定以上の帯域幅を有するドップラ周波数成分を抽出し、これを鳥群と判断する。
【先行技術文献】
【特許文献】
【００１８】
【特許文献１】実開平０５−０２３１７３号公報
【特許文献２】特開平０８−１６６４４５号公報
【発明の概要】
【発明が解決しようとする課題】
【００１９】
山岳などの固定された物体でも、グランドクラッタ信号が変動する場合があり、この変動が気象成分として誤検出される場合がある。レーダー信号処理のドップラ特性の観点から見た場合、グランドクラッタ信号の変動成分は、本来の気象成分として検出したい雨雲などの動的目標物体と比較して、極めて小さい。すなわち、グランドクラッタ信号の変動は、０（ゼロ）ドップラの近傍であって、雨雲などの動的信号とは弁別可能である。
【００２０】
本発明の目的は、グランドクラッタ信号の変動成分を、気象信号として誤検出すること無く除去して、気象成分のみを正しく抽出可能な気象情報検出装置と、この装置を用いた気象情報検出方法とを提供することである。
【課題を解決するための手段】
【００２１】
本発明による気象情報検出装置は、ウェザードップラ通過フィルタ回路と、気象情報検出回路とを具備する。ここで、ウェザードップラ通過フィルタ回路は、レーダー受信信号を入力して、気象情報に対応する信号成分を選択的に通過するものである。気象情報検出回路は、ウェザードップラ通過フィルタ回路の出力信号に基づいて、気象検出データを生成するものである。また、ウェザードップラ通過フィルタ回路は、気象情報に対応する周波数帯域を選択的に通過するバンドパスフィルタを具備する。
【００２２】
本発明による気象情報検出方法は、（ａ）レーダー受信信号を入力して、気象情報に対応する信号成分を選択的に通過するステップと、（ｂ）ステップ（ａ）で得られる出力信号に基づいて、気象検出データを生成するステップとを具備する。ここで、ステップ（ａ）は、（ａ−１）気象情報に対応する周波数帯域を選択的に通過するステップを具備する。
【発明の効果】
【００２３】
本発明による気象情報検出装置と、この装置を用いた気象情報検出方法とによれば、グランドクラッタに変動成分が含まれていた場合でも、この変動成分を気象信号と誤ることなく除去することによって、気象成分の抽出を改善することが可能となる。
【図面の簡単な説明】
【００２４】
【図１】図１は、本発明に関連する技術による気象情報検出装置の構成例を説明するためのブロック図である。
【図２】図２は、本発明に関連する別の技術による気象情報検出装置の構成例を説明するためのブロック図である。
【図３】図３は、本発明の第１の実施形態による気象情報検出装置の構成を概略的に説明するためのブロック図である。
【図４】図４は、既存のレーダー装置が受信して出力する信号を説明するためのレーダー波形図である。図４（Ａ）は、レーダー受信信号を表した極グラフである。図４（Ｂ）は、レーダー受信信号を、ドップラ周波数の関数としての信号強度の分布として表したグラフである。
【図５】図５は、ウェザードップラ通過フィルタ回路の特性を説明するためのグラフである。図５（Ａ）は、レーダー受信信号を表した極グラフである。図５（Ｂ）は、レーダー受信信号を、ドップラ周波数の関数としての信号強度の分布として表したグラフである。
【図６】図６は、本発明によるウェザードップラ通過フィルタ回路における入力信号と出力信号とを比較するためのグラフである。図６（Ａ）は、ウェザードップラ通過フィルタ回路が入力する信号の周波数分布図である。図６（Ｂ）は、ウェザードップラ通過フィルタ回路が出力する信号の周波数分布図である。
【図７】図７は、本発明の第１の実施形態における気象情報検出回路の詳細な構成を説明するためのブロック図である。
【図８】図８は、本発明の第２の実施形態による気象情報検出装置の構成例を説明するためのブロック図である。
【発明を実施するための形態】
【００２５】
添付図面を参照して、本発明による気象情報検出装置と、この装置を用いた気象情報検出方法とを実施するための形態を以下に説明する。
【００２６】
（第１の実施形態）
図３は、本発明の第１の実施形態による気象情報検出装置の構成例を概略的に説明するためのブロック図である。この気象情報検出装置は、ウェザードップラ通過フィルタ回路３１と、気象情報検出回路３２とを具備する。
【００２７】
ウェザードップラ通過フィルタ回路３１の出力部は、気象情報検出回路３２の入力部に接続されている。ウェザードップラ通過フィルタ回路３１の前段には、図示されないレーダー受信装置５０が接続されている。
【００２８】
ウェザードップラ通過フィルタ回路３１は、レーダー受信装置５０から出力されるレーダー受信信号と、トリガ信号と、クロック信号とを入力し、気象情報を含むウェザー信号を出力する。気象情報検出回路３２は、ウェザー信号を入力し、気象情報検出データを出力する。なお、クロック信号は、気象情報検出装置における各構成要素の動作を同期するためのものである。トリガ信号は、気象情報検出装置における各構成要素の動作を制御するためのものである。また、本発明による気象情報検出装置は、クロック信号と、トリガ信号とに加えて、方位信号をさらに用いても良い。方位信号は、レーダー受信装置が検出した観測対象の方位に係る情報を伝達するための信号である。
【００２９】
レーダー受信装置５０が出力する受信信号について説明する。
【００３０】
図４は、既存のレーダー装置が受信して出力する信号を説明するためのレーダー波形図である。図４（Ａ）は、レーダー受信信号を表した極グラフである。この極グラフにおいて、中心点はレーダー装置の位置を示し、半径方向の長さはレーダー装置から移動目標までの距離を示す。図４（Ｂ）は、レーダー受信信号を、ドップラ周波数の関数としての信号強度の分布として表したグラフである。このグラフにおいて、横軸はドップラ周波数を示し、縦軸は信号強度を示す。いずれの場合も、移動目標はそのドップラ周波数に応じて色分けされているが、図面ではメッシュ（ハッチング）の違いでこれを示す。
【００３１】
グランドクラッタ成分を、第１のメッシュで示す。レーダー受信信号のうち、グランドクラッタ成分は、地面、海面、建物などで反射した成分である。すなわち、グランドクラッタ成分は、静的目標物体に対応するので、ドップラシフト量は０となるはずである。しかし、実際には、地表に生える植物の揺らぎや、海面に立つ波の動きなどが原因となり、ドップラシフト量に幅が出来ている。
【００３２】
ウェザークラッタ成分を、第２のメッシュで示す。レーダー受信信号のうち、ウェザークラッタ成分は、雨雲などで反射した成分である。雨雲など、気象に係る目標物体は、ゆっくりではあるが刻々と移動する動的な目標物体である。気象に係る動的目標物体は、静的目標物体よりも高速に移動するため、グランドクラッタ成分よりもドップラシフト量が大きい。
【００３３】
レーダー受信装置の本来のターゲットとも言える航空機などによるクラッタ成分を、第３のメッシュで示す。すなわち、レーダー受信信号のうち、ターゲットによるクラッタ成分は、例えば、航空機などで反射した成分である。実際には、ドップラシフト量の幅が狭いので実線に見える。この図の例では、ターゲットとなる航空機の移動速度がほぼ一定であるために、ドップラシフト量の幅が狭い。
【００３４】
ウェザードップラ通過フィルタ回路３１の動作について説明する。
【００３５】
図５は、ウェザードップラ通過フィルタ回路３１の特性を説明するためのグラフである。図５（Ａ）は、レーダー受信信号を表した極グラフであり、図４（Ａ）と同じである。図５（Ｂ）は、レーダー受信信号を、ドップラ周波数の関数としての信号強度の分布として表したグラフであり、図４（Ｂ）にウェザードップラ通過フィルタ回路３１の周波数特性を示すグラフを追加したものに等しい。
【００３６】
ウェザードップラ通過フィルタ回路３１は、レーダー受信装置５０から得られるレーダー受信信号のうち、ウェザークラッタに対応する周波数帯域のみを通すバンドパスフィルタを具備する。言い換えれば、ウェザードップラ通過フィルタ回路３１は、ウェザークラッタ以外の、グランドクラッタまたはターゲットのクラッタに対応するドップラ周波数帯域を排除するバンドパスフィルタを具備する。
【００３７】
図６は、本発明によるウェザードップラ通過フィルタ回路３１における入力信号と出力信号とを比較するためのグラフである。図６（Ａ）は、ウェザードップラ通過フィルタ回路３１が入力する信号の周波数分布図である。図６（Ｂ）は、ウェザードップラ通過フィルタ回路３１が出力する信号の周波数分布図である。ウェザードップラ通過フィルタ回路３１が出力するウェザー信号には、グランドクラッタ成分も、ターゲットクラッタ成分も、含まれていない。したがって、グランドクラッタ成分を気象情報と誤検知する確率が極めて小さくなる。
【００３８】
ウェザードップラ通過フィルタ回路３１は、バンドパスフィルタとしての動作を行うにあたって、レーダー受信装置５０から出力されるクロック信号、方位信号、トリガ信号などをさらに用いても良い。
【００３９】
図７は、本発明の第１の実施形態における気象情報検出回路の詳細な構成を説明するためのブロック図である。この気象情報検出回路は、レーダー受信装置５０と、ＩＱ合成回路５２と、干渉除去回路５４と、ウェザードップラ通過フィルタ回路５６と、気象情報検出回路５８とを具備する。
【００４０】
レーダー受信装置５０と、ＩＱ合成回路５２と、干渉除去回路５４と、ウェザードップラフィルタ回路５６と、気象情報検出回路５８とは、この順番に、直列に接続されている。また、レーダー受信装置５０はさらに、干渉除去回路５４と、ウェザードップラ通過フィルタ回路５６と、気象情報検出回路５８とにも接続されている。
【００４１】
レーダー受信装置５０は、レーダー受信信号としてのＩ検波信号及びＱ検波信号５１と、クロック信号５９と、方位信号６０と、トリガ信号６１とを出力する。ＩＱ合成回路５２は、Ｉ検波信号及びＱ検波信号５１と、クロック信号５９と、方位信号６０と、トリガ信号６１とを入力し、レーダー受信信号のＩ／Ｑ信号５３を出力する。干渉除去回路部５４は、Ｉ／Ｑ信号５３と、クロック信号５９と、方位信号６０と、トリガ信号６１とを入力し、干渉除去後のＩ／Ｑ信号５５を出力する。ウェザードップラ通過フィルタ回路５６は、干渉除去後のＩ／Ｑ信号５５と、クロック信号５９と、方位信号６０と、トリガ信号６１とを入力し、ウェザー信号５７を出力する。気象情報検出回路部５８は、ウェザー信号５７と、クロック信号５９と、方位信号６０と、トリガ信号６１とを入力し、気象検出データを出力する。
【００４２】
ＩＱ合成回路５２の動作について説明する。ＩＱ合成回路５２は、レーダー受信装置５０から出力されるＩ検波信号と、Ｑ検波信号とを入力する。ＩＱ合成回路５２は、Ｉ検波信号と、Ｑ検波信号とを合成して、Ｉ／Ｑ信号を生成する。
【００４３】
ＩＱ合成回路５２は、Ｉ検波信号とＱ検波信号とを合成するために、レーダー受信装置５０から出力されるクロック信号、方位信号、トリガ信号などを用いても良い。
【００４４】
ＩＱ合成回路５２は、周知技術によるものと同じであって構わないので、さらに詳細な説明は省略する。
【００４５】
干渉除去回路５４の動作について説明する。通常、レーダー受信信号には、他のレーダーから出力された信号が混在し、干渉している。干渉信号は、その周波数帯域が不明であるため、後述するウェザードップラ通過フィルタ回路５６を通過してしまう可能性がある。そこで、干渉除去回路５４は、他のレーダーからの干渉信号を除去する。
【００４６】
干渉除去回路５４は、他のレーダーからの干渉信号を認識するために、レーダー受信装置５０から出力されるクロック信号、方位信号、トリガ信号などを用いても良い。
【００４７】
干渉除去回路５４は、周知技術によるものと同じであって構わないので、さらに詳細な説明は省略する。
【００４８】
ウェザードップラ通過フィルタ５６は、前述したウェザードップラ通過フィルタ３１と同じであるので、詳細な説明を省略する。
【００４９】
気象情報検出回路５８の動作について説明する。気象情報検出回路５８が入力するウェザー信号５７には、ウェザークラッタに対応するドップラ周波数帯域のみが含まれている。また、レーダー受信装置５０以外のレーダーなどからの干渉信号も除去されている。
【００５０】
さらに、レーダー受信装置５０と気象情報検出回路５８との間に接続された各回路５２、５４、５６は、いずれもレーダー受信装置５０のクロック信号、方位信号、トリガ信号を入力して動作する。したがって、気象情報検出回路５８も、クロック信号、方位信号、トリガ信号のそれぞれと同期して動作することが可能である。
【００５１】
（第２の実施形態）
図８は、本発明の第２の実施形態による気象情報検出装置の構成例を説明するためのブロック図である。本実施形態による気象情報検出装置は、第１の実施形態におけるＩＱ合成回路５２と、干渉除去回路５４と、ウェザードップラ通過フィルタ回路５６と、気象情報検出回路５８とを具備する。ここで、ＩＱ合成回路５２の前段には、外部のレーダー受信装置が接続可能である。言い換えれば、本実施形態による気象情報検出装置は、本発明の第１の実施形態による気象情報検出装置からレーダー受信装置５０だけを取り外し、その代わりに外部のレーダー受信装置に接続可能とする各信号の入力部８１〜８５を追加したものに等しい。なお、これらの入力部は、Ｉ検波信号入力部８１と、Ｑ検波信号入力部８２と、クロック信号入力部８３と、方位信号入力部８４と、トリガ信号入力部８５とを具備する。こられの違いを除いて、本実施形態による気象情報検出装置は第１の実施形態による気象情報検出装置と同じであるので、さらに詳細な説明を省略する。
【００５２】
外部のレーダー受信装置としては、例えば、Ｉ／Ｑ検波信号を出力する空港の監視用レーダー装置などが使用可能である。さらには、もともと気象情報検出装置を有する空港監視レーダー装置であっても、Ｉ／Ｑ検波信号を出力する部位に本実施形態の気象情報検出装置を接続可能である。
【００５３】
このように、既存のレーダー受信装置に本実施形態の気象情報検出装置を接続することによって、気象レーダーを新設することなく、容易に気象情報を得ることが可能となる。また、従来技術による気象情報検出装置の性能を向上させることが可能となる。
【符号の説明】
【００５４】
１１  メモリ書き込み読み出し制御部
１２  バッファメモリ
１３  メモリ読み出し制御部
１４  グランドクラッタメモリ
１５  差分回路
１６  気象情報検出回路
２１  ＩＱ合成部
２２  キャンセラ回路
２３  気象情報検出回路
３１  ウェザードップラ通過フィルタ回路
３２  気象情報検出回路
５０  レーダー装置の受信装置
５１  Ｉ検波信号、Ｑ検波信号
５２  ＩＱ合成回路
５３  Ｉ／Ｑ信号
５４  干渉除去回路
５５  干渉波除去後Ｉ／Ｑ信号
５６  ウェザードップラ通過フィルタ回路
５７  ウェザー信号
５８  気象情報検出回路
５９  クロック信号
６０  方位信号
６１  トリガ信号
８１  Ｉ検波信号入力部
８２  Ｑ検波信号入力部
８３  クロック信号入力部
８４  方位信号入力部
８５  トリガ信号入力部
【図１】
2010185768.tif 000003
【図２】
2010185768.tif 000004
【図３】
2010185768.tif 000005
【図４】
2010185768.tif 000006
【図５】
2010185768.tif 000007
【図６】
2010185768.tif 000008
【図７】
2010185768.tif 000009
【図８】
2010185768.tif 000010